(57)【要約】【課題】外ガイドレールの右上終端部に既定されていた返しゴムの位置を中央寄りに移動するレイアウト変更を行う場合に使用する支持部材を外ガイドレールに対して確実に組み付け固定すると共に、返しゴムのがたつき、位置ずれ、脱落をも防止する。【解決手段】遊技領域４の右側上部にて終端する外ガイドレール３に沿って配置されて移動してきた遊技球の勢いを減殺する緩衝部材３０を支持する緩衝部材支持部材１０を有した遊技盤ユニットにおいて、緩衝部材支持部材は、緩衝部材を支持し、外ガイドレール内側の遊技盤面に固定される第１固定部１１と、該外ガイドレール外側の遊技盤面に固定される第２固定部１２と、該第１固定部と該第２固定部とを連結する連結部１３と、を備えている。【選択図】図１
2010207523.tif 000002
【特許請求の範囲】
【請求項１】
遊技領域を有した遊技盤と、発射装置から発射された遊技球を遊技領域に案内するために該遊技領域の外周縁に沿って立設された薄板状の外ガイドレールと、該外ガイドレールに沿って移動してきた遊技球の勢いを減殺する緩衝部材を支持する緩衝部材支持部材と、を有する遊技盤ユニットにおいて、
前記緩衝部材支持部材は、緩衝部材を支持し、前記外ガイドレール内側の遊技盤面に固定される第１固定部と、該外ガイドレール外側の遊技盤面に固定される第２固定部と、該第１固定部と該第２固定部とを連結する連結部と、を備えていることを特徴とする遊技盤ユニット。
【請求項２】
前記支持凹所内に支持された前記緩衝部材の一面は前記外ガイドレールと接触していることを特徴とする請求項１に記載の遊技盤ユニット。
【請求項３】
遊技領域を有した遊技盤と、発射装置から発射された遊技球を遊技領域に案内するために該遊技領域の外周縁に沿って立設された薄板状の外ガイドレールと、前記外ガイドレールに沿って移動してきた遊技球の勢いを減殺する緩衝部材を支持する緩衝部材支持部と、を有する遊技盤ユニットにおいて、
前記緩衝部材支持部材は、緩衝部材を支持して前記外ガイドレール内側の遊技盤面に固定され、
前記緩衝部材支持部材は、左側端部外周面に設けた切欠き部を除いた外周面にて前記外ガイドレールの内周面と接触した状態で保持され、
前記支持凹所内に該緩衝部材を嵌合させた際に該緩衝部材の一部が前記切欠き部を介して前記外ガイドレールの内周面と接触することを特徴とする遊技盤ユニット。
【請求項４】
請求項１乃至３の何れか一項に記載の遊技盤ユニットを備えたことを特徴とするパチンコ遊技機。
【発明の詳細な説明】
【技術分野】
【０００１】
本発明は、パチンコ遊技機において、右打ち（強打ち）された遊技球を跳ね返して遊技領域内の任意の領域に導く返しゴムを、当該機種において既定とされている位置よりも遊技領域内に変位した任意の位置に移設することを可能とするための技術に関する。
【背景技術】
【０００２】
パチンコ遊技機においては、遊技盤の遊技領域内に遊技釘、入賞口、風車、図柄表示装置、電飾装置等の各種盤面部品を設けて遊技内容の多様性を図っている。
図４（ａ）（ｂ）及び（ｃ）は従来の遊技盤の正面図、支持部材の構成説明図、及び他の従来例の要部構成説明図である。
図４（ａ）（ｂ）に示すように遊技盤１００の遊技領域１０１の外周縁には薄い金属板からなる外ガイドレール１０５と内ガイドレール１０６が所定の間隔を隔てて立設され、発射装置から発射された遊技球Ｂは両ガイドレール１０５、１０６によって形成される導入経路１０７内を上昇し、導入経路１０７の終端部を通過することにより遊技領域１０１に進入して遊技領域内を流下するが、発射レバーを最大強さとなるように操作することにより発射（右打ち）された遊技球Ｂ１は外ガイドレール１０５の内周面に沿って右方向へ移動し、遊技領域の右上部分に配置された返しゴム１１０にて跳ね返って遊技領域内に落下して行く（遊技球Ｂ２、Ｂ３の状態）。
【０００３】
特許文献１には、右打ちされた遊技球が繰り返し衝突することにより返しゴムの取付け部位が損傷することを防止するための補強構造が開示されている。
特許文献２には、右打ちを行った場合に返しゴムで跳ね返った遊技球を近傍に位置する誘導部材の壁部に導いて球勢を減殺することにより、跳ね返った遊技球が直接遊技釘に衝突してこれを損傷させることを防止するための技術が開示されている。
何れの従来技術においても返しゴム１１０は、遊技盤の右上に位置する外ガイドレールの終端部１０５ａに設けた樹脂製の支持部材１１１の先端部に固定される構造を採る。
【０００４】
ところで、遊技盤ユニットの製造工程において、外ガイドレール１０５を遊技盤の遊技領域外周に沿って固定する作業を実施する場合には、外ガイドレールの右上終端部１０５ａを基準として外ガイドレールの他の部位を遊技盤面に位置決め固定する。このため外ガイドレールの右上終端部の位置を変更することはできない。一方で、遊技盤面に配置する盤面部品（例えば、入賞口）のレイアウトによっては、右打ちされて返しゴム１１０によって跳ね返ってくる遊技球の位置をより遊技領域の中央部に寄せて特定の盤面部品に届かせたいというニーズが発生することがある（遊技球Ｂ４の状態）。しかし、外ガイドレールの右上終端部１０５ａに沿って配置された返しゴム１１０で跳ね返った遊技球を遊技領域の中央寄りに配置した特定の盤面部品に届かせることは困難であるため、返しゴムの位置を中央寄りに変位させたいという要請が発生することがある。
【０００５】
しかし、従来のように外ガイドレールの右上終端部１０５ａに支持部材１１１の先端面を当接させた構成を踏襲しつつ返しゴムの位置を遊技領域中央寄りに移設しようとしても、そもそも外ガイドレールを短尺化することが不可能であるため、返しゴム１１０の位置の移設は不可能である。
これに対して、図４（ｂ）に示すように先端部に返しゴム１１６を組み付けた別部材としての支持部材１１５を用意し、この支持部材１１５を既存の支持部材１１１の先端面よりも中央寄りの盤面上に追加配置（盤面にビス止め）することにより、返しゴム１１６の位置を任意の中央寄り位置に変更することができる。しかし、返しゴム１１６の支持強度を確保するために、返しゴムを支持部材１１５の先端面に設けた支持凹所１１５ａ内に嵌合配置する構成を採用すると、返しゴム１１６の外径側、即ち外ガイドレール側には硬質の樹脂部分１１５ｂが介在することとなり、右打ちされることにより遠心力により外ガイドレールの内周面に沿って移動してくる遊技球Ｂはこの樹脂部分１１５ｂと接触して跳ね返ることとなり、返しゴムによる跳ね返し効果が減殺される不具合をもたらす。
【０００６】
一方、（ｃ）に示すように樹脂部分１１５ｂを除去してゴムの外側面を外ガイドレール内面に接触させる構成とすると、支持部材の支持凹所１１５ａ内面と返しゴムとの接触面積が減少するため、右打ちされてきた遊技球から受ける衝撃を繰り返し受ける返しゴムの支持強度が著しく低下して返しゴムががたついたり、支持部材から脱落し易くなる。
また、遊技盤に固定された外ガイドレールの位置や湾曲率は遊技機毎に一定ではなく、立設位置や湾曲率にばらつきがある。このため、追加配置する支持部材１１５をビス等により既定位置に固定しようとすると、支持部材１１５と外ガイドレールとの間に無用の隙間が形成されたり、外観が悪化したり、支持部材１１５が外ガイドレールと干渉して組み付けが困難化することもある。
【先行技術文献】
【特許文献】
【０００７】
【特許文献１】特開平１１−９０００３号公報
【特許文献２】特開平０８−３２２９８８号公報
【発明の概要】
【発明が解決しようとする課題】
【０００８】
以上のように、従来のパチンコ遊技機にあっては、返しゴムの位置が外ガイドレールの右上終端部の位置（外ガイドレール組付け時の基準位置）に既定されていたため、返しゴムの位置を中央寄りに移動するレイアウト変更を行う場合には、先端面に設けた支持凹所内に返しゴムを嵌合させた別部材としての支持部材を既設の支持部材の先端面よりも中央寄りに、外ガイドレールの内周面に沿って配置し、盤面にビス等によって固定するしか方法がなかった。しかし、支持凹所内壁を返しゴムの外周面全体と接触させる支持構造を採用すると、先端部に位置する支持部材の一部が遊技球と直接接触する。この不具合に対処するため、遊技球と接触する虞のある支持部材部位を除去すると、支持部材による返しゴムの支持面積が減少して返しゴムのがたつきや脱落が発生する虞が強まる。更に、外ガイドレールの立設位置や湾曲率にばらつきがあるため、追加配置する支持部材と外ガイドレールとの間に無用の隙間が形成されたり、支持部材が外ガイドレールと干渉して組み付けが困難化することもある。
本発明は上記に鑑みてなされたものであり、外ガイドレールの右上終端部に既定されていた返しゴムの位置を中央寄りに移動するレイアウト変更を行う場合に使用する支持部材を外ガイドレールに対して確実に組み付け固定すると共に、返しゴムのがたつき、位置ずれ、脱落をも防止することができる遊技盤ユニット、及びパチンコ遊技機を提供することを目的としている。
【課題を解決するための手段】
【０００９】
上記目的を達成するため、請求項１の発明に係る遊技盤ユニットは、遊技領域を有した遊技盤と、発射装置から発射された遊技球を遊技領域に案内するために該遊技領域の外周縁に沿って立設された薄板状の外ガイドレールと、該外ガイドレールに沿って移動してきた遊技球の勢いを減殺する緩衝部材を支持する緩衝部材支持部材と、を有する遊技盤ユニットにおいて、前記緩衝部材支持部材は、緩衝部材を支持し、前記外ガイドレール内側の遊技盤面に固定される第１固定部と、該外ガイドレール外側の遊技盤面に固定される第２固定部と、該第１固定部と該第２固定部とを連結する連結部と、を備えていることを特徴とする。
緩衝部材支持部材の左端部に支持した緩衝部材を遊技盤面中央寄り位置に配置するために緩衝支持部材を外ガイドレールの内周面に沿って配置する場合に、緩衝部材の支持強度が低下する不具合を解消するために、緩衝部材支持部材の溝を外ガイドレールに嵌合させるようにしている。換言すれば、緩衝部材支持部材を、外ガイドレール内側の遊技盤面に固定される第１固定部と、外ガイドレール外側の遊技盤面に固定される第２固定部と、第１固定部と第２固定部とを連結する連結部と、から構成した。このため、外ガイドレールに沿って配置された緩衝部材支持部材の支持強度を高めることができる。また、外ガイドレールの湾曲形状等にバラツキがあったとしても、溝の内壁が弾性変形してこのバラツキを吸収するため、外ガイドレールに対する緩衝部材支持部材の組付け性を高く維持することができる。
従って、外ガイドレールの右上終端部に既定されていた返しゴムの位置を中央寄りに移動するレイアウト変更を行う場合であっても、緩衝部材支持部材の延長部を外ガイドレールに対して確実に組み付け固定すると共に、返しゴムのがたつき、位置ずれ、脱落をも防止することができる。
外ガイドレールと緩衝部材支持部材の先端部とを直接接触させないようにしたので、右打ちされた遊技球が緩衝部材支持部材に直接接触することがなくなり、適正な跳ね返り状態を得ることができる。
請求項２の発明に係る遊技盤ユニットは、前記支持凹所内に支持された前記緩衝部材の一面は前記外ガイドレールと接触していることを特徴とする。
支持凹所内の緩衝部材とガイドレールとを直接接触させるようにしたので、右打ちされた遊技球が緩衝部材支持部材に直接接触することがなくなり、適正な跳ね返り状態を得ることができる。
【００１０】
請求項３に係る遊技盤ユニットは、遊技領域を有した遊技盤と、発射装置から発射された遊技球を遊技領域に案内するために該遊技領域の外周縁に沿って立設された薄板状の外ガイドレールと、前記外ガイドレールに沿って移動してきた遊技球の勢いを減殺する緩衝部材を支持する緩衝部材支持部と、を有する遊技盤ユニットにおいて、前記緩衝部材支持部材は、緩衝部材を支持して前記外ガイドレール内側の遊技盤面に固定され、前記緩衝部材支持部材は、左側端部外周面に設けた切欠き部を除いた外周面にて前記外ガイドレールの内周面と接触した状態で保持され、前記支持凹所内に該緩衝部材を嵌合させた際に該緩衝部材の一部が前記切欠き部を介して前記外ガイドレールの内周面と接触することを特徴とする。
外ガイドレールの内周面に沿って配置された緩衝部材支持部材の先端に設けた支持凹所内に配置された緩衝部材の外径側を外ガイドレールと接触させるために緩衝部材支持部材先端部の樹脂部分に切欠き部を形成した場合に緩衝部材の支持強度が低下することを防止するために、緩衝部材の外径側面の一部を緩衝部材支持部材の一部により支持するようにしたので、緩衝部材の支持強度を高めることができる。
請求項４の発明に係るパチンコ遊技機は、請求項１乃至３の何れか一項に記載の遊技盤ユニットを備えたことを特徴とする。
【発明の効果】
【００１１】
本発明によれば、外ガイドレールの右上終端部に既定されていた返しゴムの位置を中央寄りに移動するレイアウト変更を行うために緩衝部材支持部材を外ガイドレールに沿って遊技盤内側まで配置する場合に、外ガイドレールに対して緩衝部材支持部材を確実に組み付け固定すると共に、返しゴムのがたつき、位置ずれ、脱落をも防止することができる。
【図面の簡単な説明】
【００１２】
【図１】本発明を適用したパチンコ遊技機の遊技盤面（遊技盤ユニット）を示す正面図である。
【図２】（ａ）乃至（ｆ）は緩衝部材支持部材の正面側斜視図、背面側斜視図、底面図、左側面図、右側面図、及び外ガイドレールに組み付けた状態を示す説明図である。
【図３】本発明の他の実施形態（第２の実施形態）に係る遊技盤ユニットの構成説明図であり、（ｂ）はその要部構成説明図であり、（ｃ）は緩衝部材支持部材の構成を示す斜視図であり、（ｄ）は外ガイドレールに組み付けた状態を示す説明図である。
【図４】（ａ）（ｂ）及び（ｃ）は従来の遊技盤の正面図、支持部材の構成説明図、及び他の従来例の要部構成説明図である。
【発明を実施するための形態】
【００１３】
以下、本発明を図面に示した実施の形態例により詳細に説明する。
図１は本発明を適用したパチンコ遊技機の遊技盤面（遊技盤ユニット）を示す正面であり、図２（ａ）乃至（ｆ）は緩衝部材支持部材の正面側斜視図、背面側斜視図、底面図、左側面図、右側面図、及び外ガイドレールに組み付けた状態を示す説明図である。
本発明に係る遊技盤ユニットは、遊技領域２を有した遊技盤１と、遊技盤の下方に配置された発射装置から発射された遊技球Ｂを遊技領域に案内するために遊技領域の外周縁に沿って立設された薄板状の外ガイドレール３と、遊技領域の右側上部にて終端する外ガイドレールに沿って配置されて外ガイドレールに沿って右側上部に移動してきた遊技球の勢いを減殺する緩衝部材を支持する緩衝部材支持部材１０と、緩衝部材支持部材１０の先端部に設けた支持凹所２１内に嵌合されるゴム製の緩衝部材３０と、を有し、緩衝部材支持部材１０の背面に外ガイドレールを嵌合する溝２２を形成し、支持凹所２１内に支持された緩衝部材の一面は外ガイドレールと接触している構成が特徴的である。
【００１４】
これを換言すれば、本発明に係る緩衝部材支持部材１０は、緩衝部材３０を支持し、外ガイドレール内側の遊技盤面に固定される第１固定部１１と、外ガイドレール外側の遊技盤面に固定される第２固定部１２と、第１固定部１１と第２固定部１２とを連結する連結部１３と、を備え、第１固定部１１一面と第２固定部１２の一面と連結部１３との間で溝２２を形成している。
即ち、図１に示すように、遊技盤１の遊技領域２はその外周に沿って立設した金属製薄板からなる外ガイドレール３によって包囲されている。下方に位置する図示しない発射装置から発射された遊技球は、外ガイドレール３と内ガイドレール４とによって形成される遊技球導入経路Ｐを経て遊技領域内に放出される。外ガイドレール３の内周面には、右打ちされて外ガイドレールに沿って右側上部に移動してきた遊技球の勢いを減殺する緩衝部材（返しゴム）３０を支持するための緩衝部材支持部材１０が配置されている。
【００１５】
緩衝部材支持部材１０は、外ガイドレールの終端部３ａよりも外側（右側）に位置する外側部分１０Ａと、外ガイドレールの終端部３ａよりも内側（左側）に位置する内側部分１０Ｂと、から一体的に構成されている。なお、外側部分１０Ａと内側部分１０Ｂとを別体構成とし、外側部分１０Ａの左端部に内側部分１０Ｂが連設されるように後付けしてもよい。
本発明に係る遊技盤ユニットにおいては、緩衝部材支持部材１０の内側部分１０Ｂの先端部に設けた支持凹所２１内に緩衝部材３０を支持している。緩衝部材３０は、圧入、ネジ止め、接着等の任意の方法により支持凹所２１内に固定される。支持凹所２１の上面側、即ち外ガイドレール３の内周面と対面する面は開口して溝２２と連通しており、緩衝部材３０が直接外ガイドレールの内周面と直接接触している。
更に、外ガイドレール３に沿って配置される内側部分１０Ｂの背面には外ガイドレール３を嵌合するための溝２２が形成されており、緩衝部材支持部材１０（特に内側部分１０Ｂ）は外ガイドレール３によって強固に位置決め支持されることができる。また、図２に示したように緩衝部材支持部材の内側部分１０Ｂの下側裾部と上側裾部から夫々突設した薄板状の台板２５、２６に設けたビス穴２５ａ、２６ａを遊技盤面に設けたビス穴と連通させた状態で図示しないビスにより固定する。
【００１６】
このように本実施形態においては、内側部分１０Ｂが溝２２内に外ガイドレール３を嵌合した状態で組み付けられており、しかも溝２２内に嵌合した外ガイドレール３と支持凹所２１内に嵌合された緩衝部材３０の露出面とが圧接された状態にあるため、外ガイドレールに沿って移動してきた遊技球は緩衝部材３０のみと衝突し、内側部分１０Ｂを構成する樹脂部分と接触する余地がない。このため、緩衝部材３０による緩衝効果を十分に発揮することができる。また、緩衝部材３０は、外周面全体を支持凹所内壁と外ガイドレールの内周面とによって密着保持されているため、がたつきや位置ずれや脱落が発生する余地がない。
内側部分１０Ｂの長さ（左端部の位置）を種々選定することにより、その先端部に配置された緩衝部材３０の位置を調整することができ、遊技領域の中央寄りの任意の範囲に緩衝部材３０にて跳ね返った遊技球を導くことができる。
また、樹脂等の弾性材料から成る内側部分１０Ｂに形成する溝２２の内壁は弾性変形するため、遊技盤面に固定された外ガイドレールの湾曲形状に多少のバラツキがあったとしても十分にこれを吸収して溝２２内にガイドレールを圧入して嵌合支持することができ、外ガイドレールに対する内側部分１０Ｂ及び緩衝部材の位置関係を正確に位置決めすることができる。
【００１７】
次に、図３（ａ）は本発明の他の実施形態（第２の実施形態）に係る遊技盤ユニットの構成説明図であり、（ｂ）はその要部構成説明図であり、（ｃ）は緩衝部材支持部材の内側部分の構成を示す斜視図であり、（ｄ）は外ガイドレールに組み付けた状態を示す説明図である。
この実施形態に係る遊技盤ユニットは、遊技領域２を有した遊技盤１と、遊技盤の下方に配置された発射装置から発射された遊技球Ｂを遊技領域に案内するために遊技領域の外周縁に沿って立設された薄板状の外ガイドレール３と、遊技領域の右側上部にて終端する外ガイドレールに沿って配置されて外ガイドレールに沿って右側上部に移動してきた遊技球の勢いを減殺する緩衝部材支持部材１０と、緩衝部材支持部材１０の先端部に設けた支持凹所２１内に嵌合されるゴム製の緩衝部材３０と、を有する。
【００１８】
緩衝部材支持部材１０は、外ガイドレールの終端部３ａよりも外側（右側）に位置する外側部分１０Ａと、外ガイドレールの終端部３ａよりも内側（左側）に位置する内側部分１０Ｂと、から一体的に構成されている。なお、外側部分１０Ａと内側部分１０Ｂとを別体構成とし、外側部分１０Ａの左端部に内側部分１０Ｂが連設されるように後付けしてもよい。
緩衝部材支持部材１０（内側部分１０Ｂ）の先端部は、左側端部外周面に設けた切欠き部２３を除いた外周面にて外ガイドレールの内周面と接触した状態で保持され、内側部分１０Ｂの左端面には緩衝部材を嵌合配置する支持凹所２４を備え、支持凹所２４内に緩衝部材３０を嵌合させた際に緩衝部材の一部が切欠き部２３を介してガイドレールの内周面と接触するようにした構成が特徴的である。
即ち、図３に示すように、遊技盤１の遊技領域２はその外周に沿って立設した金属製薄板からなる外ガイドレール３によって包囲されている。下方に位置する図示しない発射装置から発射された遊技球は、外ガイドレール３と内ガイドレール４とによって形成される遊技球導入経路Ｐを経て遊技領域内に放出される。外ガイドレール３の内周面には、右打ちされて外ガイドレールに沿って右側上部に移動してきた遊技球の勢いを減殺する緩衝部材（返しゴム）を支持するための緩衝部材支持部材１０が配置されている。
【００１９】
本発明に係る遊技盤ユニットにおいては、緩衝部材支持部材の内側部分１０Ｂの先端部に設けた支持凹所２４内に緩衝部材３０を支持している。緩衝部材３０は、圧入、ネジ止め、接着等の任意の方補により支持凹所２１内に固定される。
内側部分１０Ｂは左側端部外周面に切欠き部２３を有しており、切欠き部２３は支持凹所２４と連通しているため、支持凹所２４内に支持された緩衝部材３０の一部がこの切欠き部２３から露出して外ガイドレールの内周面と圧接している。
本発明では、内側部分１０Ｂは、切欠き部２３を除いた外周面にて外ガイドレールの内周面と接触した状態で保持され、内側部分１０Ｂの左端面には緩衝部材を嵌合配置する支持凹所２４を備え、支持凹所２４内に緩衝部材３０を嵌合させた際に緩衝部材の一部（外径側部分）が切欠き部２３から露出してガイドレールの内周面と接触するようにした構成が特徴的である。また、切欠き部２３は支持凹所２４の途中で終端しており、内側部分１０Ｂを構成する樹脂の一部２３ａは図３（ｂ）（ｃ）に示すように、支持凹所２４の途中位置まで延在している。従って、樹脂の一部２３ａは緩衝部材の外側面の一部を支持することができる。
【００２０】
このように本実施形態においては、緩衝部材支持部の先端部、即ち内側部分１０Ｂの先端部に支持した緩衝部材３０の外径側端面と外ガイドレールの内周面とが密着しているため、遊技球が内側部分１０Ｂを構成する樹脂と接触する虞がなくなり、緩衝部材による遊技球の緩衝効果が減殺される虞がなくなる一方で、内側部分１０Ｂを構成する樹脂の一部２３ａが緩衝部材の外側面の一部を支持している。このため、緩衝部材は外周面の大半を内側部分１０Ｂによって強固に支持され、更に外周面の一部を外ガイドレールの内周面に密着保持されているため、がたつき、位置ずれ、脱落を生じる余地がなくなる。
内側部分１０Ｂの長さ（左端部の位置）を種々選定することにより、その先端部に配置された緩衝部材３０の位置を調整することができ、遊技領域の中央寄りの任意の範囲に緩衝部材３０にて跳ね返った遊技球を導くことができる。
【００２１】
本発明の第１の実施形態においては、内側部分を遊技盤面中央部寄りに延長した緩衝部材支持部材を用いる際に、先端部に設けた支持凹所内に支持した緩衝部材の支持強度が低下する不具合を解消するために、内側部分の背面に設けた溝を外ガイドレールに嵌合させるようにしている。このため、外ガイドレールの内周に沿って配置された内側部分の支持強度を高めることができる。また、内側部分の上下両裾部から台板を突設できるので、遊技盤面との接続強度を高めることができる。
また、外ガイドレールの湾曲形状等にバラツキが合ったとしても、溝の内壁が弾性変形してこのバラツキを吸収するため、外ガイドレールに対する緩衝部材支持部材の組付け性を高く維持することができる。一方、支持凹所内の緩衝部材とガイドレールとを直接接触させるようにしたので、右打ちされた遊技球が緩衝部材支持部材の先端部に直接接触することがなくなり、適正な跳ね返り状態を得ることができる。
従って、外ガイドレールの右上終端部に既定されていた返しゴムの位置を中央寄りに移動するレイアウト変更を行う場合に使用する内側部材を外ガイドレールに対して確実に組み付け固定すると共に、返しゴムのがたつき、位置ずれ、脱落をも防止することができる。
【００２２】
また、本発明の第２の実施形態では、緩衝部材支持部材の先端に設けた支持凹所内に配置された緩衝部材の外径側を外ガイドレールと接触させるために緩衝部材支持部材先端部の樹脂部分に切欠き部を形成した場合に緩衝部材の支持強度が低下することを防止するために、緩衝部材の外径側面の一部を緩衝部材支持部材の一部により支持するようにしたので、緩衝部材の支持強度を高めることができる。
なお、本発明の遊技盤ユニットは、パチンコ遊技機、パチスロ等の遊技機に適用することができる。
【符号の説明】
【００２３】
１…遊技盤、２…遊技領域、３…外ガイドレール、３ａ…右上終端部、４…内ガイドレール、１０…緩衝部材支持部材、１０ａ…先端部（左端部）、１０Ａ…外側部分、１０Ｂ…内側部分、１１…第１固定部、１２…第２固定部、２１…支持凹所、２２…溝、２３…切欠き部、２３ａ…樹脂の一部、２４…支持凹所、２５、２６…台板、２５ａ、２６ａ…ビス穴、３０…緩衝部材
【図１】
2010207523.tif 000003
【図２】
2010207523.tif 000004
【図３】
2010207523.tif 000005
【図４】
2010207523.tif 000006